【手続補正書】
【提出日】平成16年4月30日(2004.4.30)
【手続補正１】
【補正対象書類名】明細書
【補正対象項目名】発明の名称
【補正方法】変更
【補正の内容】
【発明の名称】データ再生装置および方法、データ記録装置および方法、並びに記録媒体
【手続補正２】
【補正対象書類名】明細書
【補正対象項目名】特許請求の範囲
【補正方法】変更
【補正の内容】
【特許請求の範囲】
【請求項１】
データを一時的に記憶するショックプルーフメモリと、
前記データを再生する再生手段と、
前記データの種類を判別する判別手段と、
前記判別手段による判別結果に基づき、前記データを前記ショックプルーフメモリに蓄積した後前記再生手段に供給するか、または前記データを前記ショックプルーフメモリに蓄積することなく前記再生手段に供給するかを選択する選択手段と
を備えることを特徴とするデータ再生装置。
【請求項２】
前記データの入出力レートまたは記録媒体の記録再生レートに対応して前記ショックプルーフメモリの使用量を設定する設定手段と
をさらに備えることを特徴とする請求項１に記載のデータ再生装置。
【請求項３】
データの種類を判別する判別ステップと、
前記判別ステップによる判別結果に基づき、前記データをショックプルーフメモリに蓄積した後、再生するか、または前記データを前記ショックプルーフメモリに蓄積することなく再生するかを選択する選択ステップと
を備えることを特徴とするデータ再生方法。
【請求項４】
データの種類を判別する判別ステップと、
前記判別ステップによる判別結果に基づき、前記データをショックプルーフメモリに蓄積した後、再生するか、または前記データを前記ショックプルーフメモリに蓄積することなく再生するかを選択する選択ステップと
を含むことを特徴とするコンピュータが読み取り可能なプログラムが記録されている記録媒体。
【請求項５】
データを一時的に記憶するショックプルーフメモリと、
前記データを記録する記録手段と、
前記データの種類を判別する判別手段と、
前記判別手段による判別結果に基づき、前記データを前記ショックプルーフメモリに蓄積した後前記記録手段に供給するか、または前記データを前記ショックプルーフメモリに蓄積することなく前記記録手段に供給するかを選択する選択手段と
を備えることを特徴とするデータ記録装置。
【請求項６】
前記データの入出力レートまたは記録媒体の記録再生レートに対応して前記ショックプルーフメモリの使用量を設定する設定手段と
をさらに備えることを特徴とする請求項５に記載のデータ記録装置。
【請求項７】
データの種類を判別する判別ステップと、
前記判別ステップによる判別結果に基づき、前記データをショックプルーフメモリに蓄積した後、記録するか、または前記データを前記ショックプルーフメモリに蓄積することなく記録するかを選択する選択ステップと
を備えることを特徴とするデータ記録方法。
【請求項８】
データの種類を判別する判別ステップと、
前記判別ステップによる判別結果に基づき、前記データをショックプルーフメモリに蓄積した後、記録するか、または前記データを前記ショックプルーフメモリに蓄積することなく記録するかを選択する選択ステップと
を含むことを特徴とするコンピュータが読み取り可能なプログラムが記録されている記録媒体。
【手続補正３】
【補正対象書類名】明細書
【補正対象項目名】０００１
【補正方法】変更
【補正の内容】
【０００１】
【発明の属する技術分野】
本発明は、データ再生装置および方法、データ記録装置および方法、並びに記録媒体に関し、特に、異なる種類のデータのそれぞれを、迅速かつ確実に、記録または再生することができるようにしたデータ再生装置および方法、データ記録装置および方法、並びに記録媒体に関する。
【手続補正４】
【補正対象書類名】明細書
【補正対象項目名】０００９
【補正方法】変更
【補正の内容】
【０００９】
【課題を解決するための手段】
請求項１に記載のデータ再生装置は、データを一時的に記憶するショックプルーフメモリと、データを再生する再生手段と、データの種類を判別する判別手段と、判別手段による判別結果に基づき、データをショックプルーフメモリに蓄積した後再生手段に供給するか、またはデータをショックプルーフメモリに蓄積することなく再生手段に供給するかを選択する選択手段とを備えることを特徴とする。
【手続補正５】
【補正対象書類名】明細書
【補正対象項目名】００１０
【補正方法】変更
【補正の内容】
【００１０】
請求項３に記載のデータ再生方法は、データの種類を判別する判別ステップと、判別ステップによる判別結果に基づき、データをショックプルーフメモリに蓄積した後、再生するか、またはデータをショックプルーフメモリに蓄積することなく再生するかを選択する選択ステップとを備えることを特徴とする。
【手続補正６】
【補正対象書類名】明細書
【補正対象項目名】００１１
【補正方法】変更
【補正の内容】
【００１１】
請求項４に記載の記録媒体のプログラムは、データの種類を判別する判別ステップと、判別ステップによる判別結果に基づき、データをショックプルーフメモリに蓄積した後、再生するか、またはデータをショックプルーフメモリに蓄積することなく再生するかを選択する選択ステップとを含むことを特徴とする。
請求項５に記載のデータ記録装置は、データを一時的に記憶するショックプルーフメモリと、データを記録する記録手段と、データの種類を判別する判別手段と、判別手段による判別結果に基づき、データをショックプルーフメモリに蓄積した後記録手段に供給するか、またはデータをショックプルーフメモリに蓄積することなく記録手段に供給するかを選択する選択手段とを備えることを特徴とする。
請求項７に記載のデータ記録方法は、データの種類を判別する判別ステップと、判別ステップによる判別結果に基づき、データをショックプルーフメモリに蓄積した後、記録するか、またはデータをショックプルーフメモリに蓄積することなく記録するかを選択する選択ステップとを備えることを特徴とする。
請求項８に記載の記録媒体のプログラムは、データの種類を判別する判別ステップと、判別ステップによる判別結果に基づき、データをショックプルーフメモリに蓄積した後、記録するか、またはデータをショックプルーフメモリに蓄積することなく記録するかを選択する選択ステップとを含むことを特徴とする。
【手続補正７】
【補正対象書類名】明細書
【補正対象項目名】００１２
【補正方法】変更
【補正の内容】
【００１２】
請求項１に記載のデータ再生装置、請求項３に記載のデータ再生方法、請求項４に記載の記録媒体、請求項５に記載のデータ記録装置、請求項７に記載のデータ記録方法、および請求項８に記載の記録媒体においては、データの種類が判別され、判別結果に対応してショックプルーフメモリを使用するか否かが選択される。
【手続補正８】
【補正対象書類名】明細書
【補正対象項目名】００１４
【補正方法】変更
【補正の内容】
【００１４】
請求項１に記載のデータ再生装置は、データを一時的に記憶するショックプルーフメモリ（例えば、図１のRAM１４）と、データを再生する再生手段（例えば、図１のATRACコントローラ１５）と、データの種類を判別する判別手段（例えば、図１のデータ判別回路２１）と、判別手段による判別結果に基づき、データをショックプルーフメモリに蓄積した後再生手段に供給するか、またはデータをショックプルーフメモリに蓄積することなく再生手段に供給するかを選択する選択手段（例えば、図１のセレクタ１２Ａ）とを備えることを特徴とする。
請求項５に記載のデータ記録装置は、データを一時的に記憶するショックプルーフメモリ（例えば、図１のRAM１４）と、データを記録する記録手段（例えば、図１の記録用ヘッド９）と、データの種類を判別する判別手段（例えば、図１のデータ判別回路２１）と、判別手段による判別結果に基づき、データをショックプルーフメモリに蓄積した後記録手段に供給するか、またはデータをショックプルーフメモリに蓄積することなく記録手段に供給するかを選択する選択手段（例えば、図１のセレクタ１２Ｂ）とを備えることを特徴とする。
【手続補正９】
【補正対象書類名】明細書
【補正対象項目名】００３３
【補正方法】変更
【補正の内容】
【００３３】
【発明の効果】
請求項１に記載のデータ再生装置、請求項３に記載のデータ再生方法、請求項４に記載の記録媒体、請求項５に記載のデータ記録装置、請求項７に記載のデータ記録方法、および請求項８に記載の記録媒体によれば、データの種類に対応して、ショックプルーフメモリを使用するか否かを選択するようにしたので、種類の異なるデータのそれぞれを、迅速かつ確実に、記録または再生することができる。